(57)【要約】【課題】本発明は、装飾品をイヤリング用として吊り下げる際と、チェーンによって吊り下げる際とで常に装飾品の向きを正しい方向に向くようにすることができる構造を備えた装身具用吊金具を提供する。【解決手段】装飾品をイヤリングやチェーン類によって吊り下げる際に使用する装身具用吊金具であって、左右一対のリング部と、当該一対のリング部間に差渡された連結部とで構成され、前記リング部で前記装飾品に取り付けられていて、前記イヤリングをリング部内を挿通して連結する第１の用例と、前記チェーン類を一対のリング部間を挿通して連結部に取り付ける第２の用例とを選択的に使用できるようにしたことを特徴とする装身具用吊金具。【選択図】図８
2018027178.tif 000002
【特許請求の範囲】
【請求項１】
装飾品をイヤリングやチェーン類によって吊り下げる際に使用する装身具用吊金具であって、左右一対のリング部と、当該一対のリング部間に差渡された連結部とで構成され、前記リング部で前記装飾品に取り付けられていて、前記イヤリングをリング部内を挿通して連結する第１の用例と、前記チェーン類を一対のリング部間を挿通して連結部に取り付ける第２の用例とを選択的に使用できるようにしたことを特徴とする装身具用吊金具。
【請求項２】
前記装身具用吊金具を構成する左右一対のリング部は、前記装飾品に取り付ける部分が一体的に形成され、上方に向かって分岐して一対のリング部を構成するようになっていることを特徴とする請求項１に記載の装身具用吊金具。
【請求項３】
前記一対のリング部間に差渡された連結部は、前記装飾品に取り付けるリング部下端とは対向するリング部上端に取り付けられていることを特徴とする請求項１または２に記載の装身具用吊金具。
【請求項４】
前記一対のリング部は、前記連結部を取り付けたリング部上端と、前記装飾品に取り付けるリング部下端との間において、互いの間隔が拡がるように形成してあることを特徴とする請求項１ないし３のいずれかに記載の装身具用吊金具。
【請求項５】
装飾品をイヤリングやチェーン類によって吊り下げる際に使用することが可能な装身具用吊金具であって、左右一対のリング部と、当該一対のリング部間に差渡された連結部とで構成され、かつ当該装身具用吊金具自体が装飾性を備えていて、前記イヤリングをリング部内を挿通して連結する第１の用例と、前記チェーン類を一対のリング部間を挿通して連結部に取り付ける第２の用例とを選択的に使用できるようにしたことを特徴とする装身具用吊金具。
【発明の詳細な説明】
【技術分野】
【０００１】
本発明は、装身具用吊金具に関するものであり、詳しくは装飾品をチェーンによって吊り下げる際に、自在に装飾品の向きを変えることができる装身具用吊金具に関する。
【背景技術】
【０００２】
従来のネックレスやペンダント等の首飾りは、装飾品（下げ飾り）に一体に形成されたチェーン吊下げ部にチェーンを通し、該チェーンを介して装飾品を首から吊り下げるもの（特許文献１参照）や、装飾品に一体に形成された丸環にチェーン吊り下げ金具を取り付けてチェーンを通し、該チェーンを介して装飾品を首から吊り下げるもの（特許文献２及び３参照）などがある。
また、装飾品用の吊金具を利用するものとしては、特開２００１−２５２１１４号公報（特許文献４及び５参照）などがある。
【先行技術文献】
【特許文献】
【０００３】
【特許文献１】特開平７−４７００４号公報
【特許文献２】特開平７−２２７３０７号公報
【特許文献３】特開２００１−２５２１１４号公報
【特許文献４】特開２００６−５１２７７号公報
【特許文献５】実用新案登録第３１１２７５７号公報
【発明の概要】
【発明が解決しようとする課題】
【０００４】
上記構成の装飾品に一体に形成されたチェーン吊下げ部にチェーンを通す首飾りは、吊り下げ部にチェーンを通した時にできる遊び（隙間）によって装飾品がチェーンに沿って自由に動くことができる。従って、このような首飾りを首から吊り下げて使用する場合、運動中の体の動きや態勢の変化などによって必ずしも常に装飾品が胸元に位置するとは限らず、装飾品が左右に移動したり、極端な場合には首の後方に回って装身具用としては見た目の悪い姿になるという問題点を有している。
【０００５】
また特許文献５には、装飾品を下げ飾ることができる吊り下げ具が、基部と開閉部とからなり、対向する基部と開閉部の下端に設けた蝶番にて開閉部を開閉自在とするとともに当該基部及び開閉部上端に設けた挿通環を、閉じた状態時に直列し、且つ、双方の挿通環の貫通方向が開閉部の開閉方向に並行する方向に設け、当該挿通環に鎖又は紐状体を貫通させて結合状態とする装身具用吊下げ具が記載されている。
しかしながら、開閉機構を必要とするためデザイン上の制約があり、また開閉部分が勝手に開放してしまうという不測の事態が生じてチェーン類から脱落してしまうという問題が発生するおそれがあった。
【０００６】
そこで、本発明は上記課題を解決しようとするものであり、装身具用吊金具を装飾品に簡単に取り付けられるようにして装飾効果を損なうことのないようにするとともに、装飾品をイヤリング用として吊り下げる際と、チェーンによって吊り下げる際とで常に装飾品の向きを正しい方向に向くようにすることができる構造を備えた装身具用吊金具を提供することを目的とするものである。
【課題を解決するための手段】
【０００７】
上記課題を解決するために、本発明の装身具用吊金具は、装飾品をイヤリングやチェーン類によって吊り下げる際に使用する装身具用吊金具であって、左右一対のリング部と、当該一対のリング部間に差渡された連結部とで構成され、前記リング部で前記装飾品に取り付けられていて、前記イヤリングをリング部内を挿通して連結する第１の用例と、前記チェーン類を一対のリング部間を挿通して連結部に取り付ける第２の用例とを選択的に使用できるようにしたことを特徴とするものである。
【０００８】
本発明の装身具用吊金具において、前記装身具用吊金具を構成する左右一対のリング部は、前記装飾品に取り付ける部分が一体的に形成され、上方に向かって分岐して一対のリング部を構成するようになっていることをも特徴とするものである。
【０００９】
本発明の装身具用吊金具において、前記一対のリング部間に差渡された連結部は、前記装飾品に取り付けたリング部下端と対向するリング部上端に取り付けられていることをも特徴とするものである。
【００１０】
本発明の装身具用吊金具において、前記一対のリング部は、前記連結部を取り付けたリング部上端と、前記装飾品に取り付けたリング部下端との間において、互いの間隔が拡がるように形成してあることをも特徴とするものである。
【００１１】
本発明の装身具用吊金具は、装飾品をイヤリングやチェーン類によって吊り下げる際に使用することが可能な装身具用吊金具であって、左右一対のリング部と、当該一対のリング部間に差渡された連結部とで構成され、かつ当該装身具用吊金具自体が装飾性を備えていて、前記イヤリングをリング部内を挿通して連結する第１の用例と、前記チェーン類を一対のリング部間を挿通して連結部に取り付ける第２の用例とを選択的に使用できるようにしたことを特徴とするものである。
【発明の効果】
【００１２】
ここで本発明の装身具用吊金具についての効果を説明する。
請求項１の発明は、装飾品をチェーン類によって吊り下げる際に使用する装身具用吊金具であって、左右一対のリング部と、当該一対のリング部間に差渡された連結部とで構成され、かつその適所を前記装飾品に取り付けられていて、前記チェーン類をリング部内を挿通して取り付ける第１の用例と、前記チェーン類を一対のリング部間を挿通して連結部に取り付ける第２の用例とを選択的に使用できるようにしたものである。
したがって、構造が単純でデザイン上の制約はほとんどなく、また開閉機構等を用いていないのでチェーン類から勝手に脱落してしまうというおそれが全くない。もちろん、前記チェーン類をリング部内を挿通して取り付ける第１の用例と、前記チェーン類を一対のリング部間を挿通して連結部に取り付ける第２の用例とを選択的に使用できるので、同じ装飾品であっても１つの装身具用吊金具を用いて多様な表現方法の使い方をすることができる。
【００１３】
請求項２の発明では、前記装身具用吊金具を構成する左右一対のリング部は、前記装飾品に取り付けた部分が一体的に形成され、上方に向かって分岐して一対のリング部を構成するようにしてあるので、装飾品の形態の如何に係らず装身具用吊金具を取り付けることができ、美観にも優れた装身具を提供することができる。
【００１４】
請求項３の発明では、前記一対のリング部間に差渡された連結部は、前記装飾品に取り付けたリング部下端と対向するリング部上端に取り付けられているため、一対のリング部を上端ないし下端で連結していて一対のリング部が強固に連結されており、チェーン類を取り付けやすい装身具用吊金具を提供することができる。
【００１５】
請求項４の発明では、前記一対のリング部は、前記連結部を取り付けたリング部上端と、前記装飾品に取り付けたリング部下端との間において、互いの間隔が拡がるように形成してあるため、一対のリング部の側面部分においてのみならず、一対のリング部の側面部分の間隔が拡がっており、チェーン類を用いてネックレス等として使用する場合においても服飾等との間隔を保つことができ、安定して装飾品を保持することができる。
【図面の簡単な説明】
【００１６】
【図１】本発明に係わる装身具用吊金具の第１実施例を示す正面図である。
【図２】その側面図である。
【図３】その平面図である。
【図４】その斜視図である。
【図５】第１実施例に係わる装身具用吊金具の第１の用例（イヤリング）を示す側面図である。
【図６】その斜視図である。
【図７】第１実施例に係わる装身具用吊金具の第２の用例（首飾り）を示す正面図である。
【図８】その斜視図である。
【図９】本発明に係わる装身具用吊金具の第２実施例において、第１の用例（イヤリング）を示す斜視図である。
【図１０】その第２の用例（首飾り）を示す斜視図である。
【発明を実施するための形態】
【００１７】
以下、この発明の実施の形態を図１から図１０を参照しながら、詳細に説明する。
図１ないし図４は本発明に係わる装身具用吊金具の第１実施例を示すものであり、一対のアーチ状のデザインの装飾パーツ１１ａ，１１ｂの上端を取り付けた４脚の装飾品１１を、後述するイヤリング２１ないしチェーン類３１によって吊り下げる際に使用する装身具用吊金具１２である。
図において、１１ｃは保持枠の両側を丸環を介して装飾パーツ１１ａ，１１ｂのアーチ状の内側に連結した宝石である。
そして前記装身具用吊金具１２は、左右一対のリング部１３，１３と、当該一対のリング部１３，１３間に差渡された連結部１４とで構成され、かつその適所を前記装飾品１１の上端に取り付けられている。なお、図では前記装身具用吊金具１２を前記装飾品１１の上端に固着した場合を示しているが、両者をバチカンや丸環等を用いて連結することができるのはいうまでもない。
すなわち、前記イヤリング２１をリング部１３，１３内を挿通して取り付ける第１の用例と、前記チェーン類３１を一対のリング部１３，１３間を挿通して連結部１４に取り付ける第２の用例とを選択的に使用できるようにしたものである。
【００１８】
したがって、構造が単純でデザイン上の制約はほとんどなく、また開閉機構等を用いていないのでイヤリング２１ないしチェーン類３１から勝手に脱落してしまうというおそれが全くない。もちろん、前記イヤリング２１をリング部１３，１３内を挿通して取り付ける第１の用例と、前記チェーン類３１を一対のリング部１３，１３間を挿通して連結部１４に取り付ける第２の用例とを選択的に使用できるので、同じ装飾品であっても１つの装身具用吊金具１２を用いて多様な表現方法の使い方をすることができる。
【００１９】
なお、前記装身具用吊金具１２を構成する左右一対のリング部１３，１３は、前記装飾品に取り付けた部分１３ａを互いに連結して一体的に形成されており、当該部分から上方に向かって分岐させることにより一対のリング部１３，１３を構成するようにしてある。
したがって、装飾品１１の形態の如何に係らずその適宜の位置に装身具用吊金具１２を取り付けることができ、美観にも優れた装身具を提供することができる。
【００２０】
前記一対のリング部１３，１３間に差渡された連結部１４は、前記装飾品１１に取り付けたリング部１３，１３の下端と対向するリング部１３，１３上端に取り付けられているため、一対のリング部１３，１３を上端ないし下端で連結していることになり、したがって一対のリング部１３，１３が強固に連結されることとなり、かつイヤリング２１ないしチェーン類３１を着脱しやすい装身具用吊金具１２を提供することができるのである。
【００２１】
また、前記一対のリング部１３，１３は、前記連結部１４を取り付けたリング部１３，１３の上端と、前記装飾品１１に取り付けたリング部１３，１３下端との間において、互いの間隔が拡がるように形成してあるため、一対のリング部１３，１３の側面部分においてのみならず、一対のリング部１３，１３の側面部分の間隔が拡がっていて、チェーン類３１を用いてネックレス等として使用する場合においても服飾等との間隔を保つことができ、安定して前記装飾品１１を保持することができる。
【００２２】
それゆえ、図５および図６に示す、前記イヤリング２１を前記装身具用吊金具１２の一対のリング部１３，１３内を挿通して取り付ける第１の用例にあっては、前記一対のリング部１３，１３のリング面と前記装飾品１１の宝石１１ｃとが正面を向く状態に保持することができる。
また、図７および図８に示す、前記チェーン類３１を前記装身具用吊金具１２の一対のリング部１３，１３間を挿通して連結部１４に取り付ける第２の用例にあっては、一対のリング部１３，１３のリング面と前記装飾品１１の宝石１１ｃとが正面を向く状態に保持することができる。
【００２３】
図９および図１０は、本発明に係わる装身具用吊金具の第２実施例を示すものである。
図９はその第１の用例（イヤリング）を示すものであり、４１は装飾品をイヤリング５１によって吊り下げる際に使用することが可能な装身具用吊金具である。
当該装身具用吊金具４１は、左右一対のリング部４２，４２と、当該一対のリング部４２，４２間に差渡された連結部４３とで構成され、かつ当該装身具用吊金具４１自体が装飾性を備えている。図ではリング部４２，４２の所定の幅に形成した正面ないし背面に細かい斜線が所定の間隔で複数刻設され、下部の中央にはハート形状が刻設されている。もちろん、ハート形状の刻設等に変えて宝石類を取り付けてもよい。
また、図１０は第２の用例（首飾り）を示すものであり、チェーン類６１を一対のリング部４２，４２間を挿通して連結部４３に取り付けた状態を示すものである。
なお、前記装飾性を備えた装身具用吊金具４１は、前記第１実施例と同様に装飾品１１を取り付けて使用することができるのはいうまでもない。
【産業上の利用可能性】
【００２４】
本発明の装身具用吊金具は以上のように構成されているので、イヤリング兼ペンダントの装飾品の吊り下げ用としてのみならず、ブローチやイヤリングその他の多様な装身具に、それぞれ兼用可能な状態において適用することができる。
【符号の説明】
【００２５】
１１  装飾品
１１ａ，１１ｂ  装飾パーツ
１１ｃ  宝石
１２  装身具用吊金具
１３，１３  リング部
１３ａ  装飾品に取り付けた部分
１４  連結部
２１  イヤリング
３１  チェーン類
４１  装身具用吊金具
４２，４２  リング部
４３  連結部
５１  イヤリング
６１  チェーン類
【図１】
2018027178.tif 000003
【図２】
2018027178.tif 000004
【図３】
2018027178.tif 000005
【図４】
2018027178.tif 000006
【図５】
2018027178.tif 000007
【図６】
2018027178.tif 000008
【図７】
2018027178.tif 000009
【図８】
2018027178.tif 000010
【図９】
2018027178.tif 000011
【図１０】
2018027178.tif 000012